(57)【特許請求の範囲】
【請求項１】
平坦なベース材１と平坦な被覆材２との間にＩＣタグ１０が装填されたＩＣタグ封入体であって、
前記ベース材１と前記被覆材２との間に設けられ、前記ベース材１と前記被覆材２とを接合する接着剤層３を備え、
前記接着剤層３の一方の面には剥離材層２３が形成され、前記ベース材１と前記被覆材２とが接合されることにより前記接着剤層３に空間部が形成され、
前記ＩＣタグ１０は、前記空間部内に装填されていることを特徴とするＩＣタグ封入体。
【請求項２】
前記被覆材２のＩＣタグ封入領域相当部に開封用の切離線２ａが設けられていることを特徴とする請求項１に記載のＩＣタグ封入体。
【請求項３】
前記ベース材１の下面に感圧接着剤層４が設けられ、該感圧接着剤層４面に剥離材５が仮接着していることを特徴とする請求項１又は請求項２に記載のＩＣタグ封入体。
【請求項４】
前記ベース材１の下面に感熱接着剤層４が設けられていることを特徴とする請求項１又は請求項２に記載のＩＣタグ封入体。
【請求項５】
前記感圧接着剤層４又は感熱接着剤層４を介して、封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙や枚葉紙の梱包体など紙類の被着面、又はその他商品類の被着面に接着されることを特徴とする請求項３又は請求項４に記載のＩＣタグ封入体。
【請求項６】
前記ベース材１が、封筒類、葉書類、伝票類、カード類等、次具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙や枚葉紙の梱包体など紙類の被着面、又はその他商品類の被着面であることを特徴とする請求項１又は請求項２に記載のＩＣタグ封入体。
【請求項７】
前記ベース材１と被覆材２が、封筒類、葉書類、伝票類、カード類等、文具類等の事務用品の構成体、又はボトル、段ボール、通い箱、その他紙製容器、パウチ容器など容器類等の包装用品の構成体、又はカタログ類、冊子類、書籍類、コンパクトディスク等記録媒体類の構成体、又は衣料品の構成体、又はロール紙や枚葉紙の梱包体など紙類の構成体、又はその他商品類の構成体であることを特徴とする請求項１又は請求項２に記載のＩＣタグ封入体。
【請求項８】
前記ベース材１と被覆材２のいずれか一方のＩＣタグ封入領域に開封用の切離線２ａが設けられていることを特徴とする請求項７に記載のＩＣタグ封入体。
【請求項９】
商品に取り付けられ商品タグとして用いられることを特徴とする請求項１から８のいずれか１項に記載のＩＣタグ封入体。
【発明の詳細な説明】
【０００１】
【発明の属する技術分野】
本発明は、ＩＣタグ（アンテナ付きＩＣチップ）を基材で挟み込み加工したＩＣタグ封入体に関し、使用後に中身のＩＣタグを取り出し回収して再利用できるようにしたＩＣタグ封入体に関する。
【０００２】
【従来の技術】
一般に、商品類等をはじめとする各種の物品の鉄道輸送やトラック輸送、航空輸送、船舶輸送など各種輸送配送方式による輸送や配送、あるいは、乗客の手荷物預かり輸送等には、発送先や発送依頼先、手荷物所有者名、物品名など所定事項を記入表示した発送・受領伝票や手荷物預かり伝票等の伝票類やカード類が、物品発送依頼主や預かり手荷物の所有者に手渡されたり、その物品や手荷物等に添付したり貼り付けたりして使用されている。
【０００３】
これら伝票の添付された輸送物品や預かり手荷物は、その伝票等に記入されている発送先等の情報が読み取られ、その情報に基づいて、所定の発送地域や乗客の到着場所毎に仕分けられて配送されたり、受け渡されるものである。
【０００４】
【発明が解決しようとする課題】
上記物品や預かり手荷物に添付される伝票類には、伝票に記入された事項を迅速に読み取るために、所定事項をバーコードやコード記号などにてコード表示してコード読取器にて読み取るようにしたものがある。
【０００５】
しかしながら、物品や預かり手荷物に添付された伝票に表示したバーコードやコード記号などのコード表示をコード読取器にて正確に読み取るためには、コード表示部分を平坦面とするとともに、コード読取器に対して正規の位置や距離や角度に保持して読み取る必要がある。
【０００６】
また、伝票の添付された読み取る対象となる輸送物品や預かり手荷物の外観形状は多種に亘るため、各読み取り対象物品のコード表示部分を平坦面に保持したり、コード表示部分とコード読取器とを正しい位置に対応させることができない物品もあり、発送先や発送依頼先、手荷物所有者名、物品名など所定事項が正確に読み取られなかったり読み取り操作において誤動作が発生する場合があった。
【０００７】
そこで、輸送物品や預かり手荷物等に添付する伝票類やシート類に、非接触式の無線交信可能なＩＣタグを内蔵させることにより、ＩＣタグから発信する発送先など所定事項に関する固有データをタグ読取器にて読み取るようにすれば、輸送物部や手荷物等の外観形状に影響を受けることがなく、また読み取り操作のための正規の位置や距離や角度の許容範囲が拡大するため、より正確な発送先など所定事項のデータを得ることができるようになる。
【０００８】
本発明の課題は、ＩＣタグ（アンテナ付きＩＣチップ）を基材で挟み込み加工したＩＣタグ封入体であって、使用後に、ＩＣタグ封入体内から中身のＩＣタグを取り出し回収し易くすることにあり、これにより容易に再利用できるようにすることを目的とするものである。
【０００９】
【課題を解決するための手段】
本発明は、平坦なベース材１と平坦な被覆材２との間にＩＣタグ１０が装填されたＩＣタグ封入体であって、前記ベース材１と前記被覆材２との間に設けられ、前記ベース材１と前記被覆材２とを接合する接着剤層３を備え、前記接着剤層３の一方の面には剥離材層２３が形成され、前記ベース材１と前記被覆材２とが接合されることにより前記接着剤層３に空間部が形成され、前記ＩＣタグ１０は、前記空間部内に装填されていることを特徴とするＩＣタグ封入体である。
【００１４】
本発明のＩＣタグ封入体においては、前記被覆材２のＩＣタグ封入領域相当部に開封用の切離線２ａが設けられてもよい。
【００１５】
本発明のＩＣタグ封入体においては、前記ベース材１の下面に感圧接着剤層４が設けられ該感圧接着剤層４面に剥離材５が仮接着していてもよい。
【００１６】
本発明のＩＣタグ封入体においては、前記ベース材１の下面に感熱接着剤層４が設けられてもよい。
【００１７】
本発明のＩＣタグ封入体においては、前記感圧接着剤層４又は感熱接着剤層４を介して封筒類、葉書類、伝票類、カード類等、文具類等の事務用品の被着面、又はボトル、段ボール、通い箱、その他紙製容器、パウチ容器など容器類等の包装用品の被着面、文はカタログ類、冊子類、書籍類、コンパクトディスク等記録媒体類の被着面、又は衣料品の被着面、又はロール紙や枚葉紙の梱包体など紙類の被着面、又はその他商品類の被着面に接着されてもよい。
【００１８】
本発明のＩＣタグ封入体においては、前記ベース材１が封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙や枚葉紙の梱包体など紙類の被着面、又はその他商品類の被着面であってもよい。
【００１９】
本発明のＩＣタグ封入体においては、前記ベース材１と被覆材２が、封筒類、葉書類、伝票類、カード類等、文具類等の事務用品の構成体、又はボトル、段ボール、通い箱、その他紙製容器、パウチ容器など容器類の包装用品の構成体、又はカタログ類、冊子類、書籍類、コンパクトディスク等記録媒体類の構成体、又は衣料品の構成体、又はロール紙や枚葉紙の梱包体など紙類の構成体、又はその他商品類の構成体であってもよい。
【００２０】
本発明のＩＣタグ封入体においては、前記ベース材１と被覆材２のいずれか一方のＩＣタグ封入領域に、開封用の切離線２ａが設けられてもよい。
【００３１】
本発明のＩＣタグ封入体は、商品に取り付けられ商品タグとして用いられてもよい。
【００３２】
【発明の実施の形態】
本発明のＩＣタグ封入体の実施の形態を以下に詳細に説明すれば、図１（ａ）は、第１の実施の形態（請求項１に係る発明）におけるＩＣタグ封入体Ａの側断面図、図１（ｂ）は、その平面図であり、ベース材１と被覆材２との重ね合わせ内面に、データ送受信可能なＩＣタグ１０が非接着状態で装填されている。このベース材１と被覆材２、及びＩＣタグ１０のそれぞれ形状、サイズは、本発明においては特に限定されるものではないが、例えば形状は、四角形や円形状の平板状であって、サイズは、その四角形の一辺の長さ又は円形の直径は５〜１０ｍｍ程度でもよいし、切手のサイズ、コインのサイズ等でもよい。
【００３３】
該ベース材１と被覆材２とは、その重ね合わせ内面に装填されるＩＣタグ１０の周辺外側における互いに対向する重ね合わせ内面が、接着剤層３を介して接合している。なお、ベース材１と被覆材２には、それぞれ異なる素材を用いてもよいし、又は同一の素材を用いて二つ折りして重ね合わせたものでもよい。その場合には、ＩＣタグ１０の周辺外側の既に二つ折りした折り目部側の重ね合わせ一方内面は接合しているので、他の重ね合わせ三方内面のみの接合でもよい。
【００３４】
前記ＩＣタグ１０は、例えば、電源回路、受信回路、発信回路、メモリ、対メモリ読み書き動作用のロジック回路などにより構成されるＩＣチップ１１と、該ＩＣチップ１１に対して誘導電流（誘導電力）を発生するコイル状のアンテナ１２（例えば四角形スパイラルコイル状）とにより構成され、アンテナ１２が受信した電波の誘導電力によりＩＣチップ１１の各回路が動作し、ロジック回路はアンテナ１２が受信した所定データをメモリに書き込み記憶させたり、所定データをメモリから読み出すことが可能であって、メモリは特定の命令によりデータを消去可能であり、また電力が無い状態でもデータをそのまま保存することもできる。
【００３５】
前記ベース材１と被覆材２に使用する素材としては、例えば、電気的絶縁性のある紙製シート、合成樹脂製フィルム（シート）、あるいは、それらの複合シート材をはじめとして各種素材が使用でき、また前記接着剤層３には、例えば、熱溶融性の合成樹脂を主体とする加熱融着型の感熱接着剤（例えばホットメルト型など）、有機溶剤可溶性の溶剤揮散型接着剤、あるいは感圧接着剤（粘着剤）など各種接着剤が使用でき、その他に熱硬化型接着剤（例えばエポキシ系接着剤）や紫外線硬化型接着剤等を使用するようにしてもよい。
【００３６】
上記本発明の第１の実施の形態におけるＩＣタグ封入体Ａの被覆材２には、図２（ａ）〜（ｂ）の平面図に示すように、開封用の切離線２ａ（ハーフカッティングライン、ミシンカッティングラインなど）が設けられていて、被覆材２は切離線２ａを介して開封できるようになっている。また、前記被覆材２の表面若しくは内面には、ＩＣタグ封入体Ａとして必要な適宜な情報を印刷表示することができる。
【００３７】
切離線２ａのカッティング形状は、本発明においては特に限定されるものではないが、例えば図２（ａ）に図示するように、四角形状のＩＣタグ１０の場合には、その四方周辺外側に沿って四角形リング状に設けた接着剤層３のリング内側に沿って、切離線２ａを四角形状に設けてもよいし、図２（ｂ）に図示するように、四方周辺外側に沿って四角形リング状に設けた接着剤層３のリング内側に沿って切離線２ａを四角形状に設け、その中央部に二等分線等の二分割線状のカッティングライン２ｂを設けてもよい。
【００３８】
上記第１の実施の形態におけるＩＣタグ封入体Ａの内部に装填されているＩＣタグ１０を取り出し回収する際は、被覆材２を接着剤層３を破壊してベース材１から剥離し、ＩＣタグ封入体Ａを開封してＩＣタグ１０を取り出すか、あるいは開封用の切離線２ａに沿って被覆材２を切り破り、ＩＣタグ封入体Ａを開封してＩＣタグ１０を取り出すものである。
【００３９】
上記ＩＣタグ封入体Ａの前記ベース材１の下面には、図１（ａ）に示すように必要に応じて感圧接着剤層４が設けられ、該感圧接着剤層４面に、剥離シート５（セパレータ；シリコーン樹脂など剥離性樹脂層を備えたシート）が仮接着している。あるいは前記ベース材１の下面には、感熱接着剤層４が設けられている。
【００４０】
上記ＩＣタグ封入体Ａは、前記感圧接着剤層４又は感熱接着剤層４を介して紙製、プラスチック製、ガラス製、陶器製、磁器製、セラミック製、金属製等の各種物品の被着面に接着固定して添付することができ、例えば、封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙（例えば小型乃至大型プリンター用ロール紙）や枚葉紙の梱包体（梱包紙にて梱包された梱包枚葉紙）など紙類の被着面、又はその他商品類の被着面に接着固定することにより添付される。
【００４１】
上記ＩＣタグ封入体Ａの第１の実施の形態における他の例としては、図１（ａ）に示すＩＣタグ封入体Ａにおいて、そのベース材１の下面に感圧接着剤層４又は感熱接着剤層４を設けないＩＣタグ封入体Ａとして、そのベース材１本体を紙製、プラスチック製、ガラス製、陶器製、磁器製、セラミック製、金属製等の各種物品の被着面自体としてもよく、例えば、封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙（例えば小型乃至大型プリンター用ロール紙）や枚葉紙の梱包体（梱包紙にて梱包された梱包枚葉紙）など紙類の被着面、又はその他商品類のそれぞれ被着面自体としてもよい。
【００４２】
次に本発明のＩＣタグ封入体の第２の実施の形態（請求項２に係る発明）を以下に詳細に説明すれば、図３（ａ）は、第２の実施の形態におけるＩＣタグ封入体Ａの側断面図、図３（ｂ）は、その平面図であり、ベース材１と被覆材２との重ね合わせ内面にＩＣタグ１０が非接着状態で装填されている。
【００４３】
該ベース材１と被覆材２とは、図３（ｂ）の平面図に示すように、互いに対向する重ね合わせ四方の内面全面が、接着剤層３を介して接合している。なお、ベース材１と被覆材２には、それぞれ異なる素材を用いてもよいし、又は同一の素材を用いて二つ折して重ね合わせたものでもよい。
【００４４】
前記ＩＣタグ１０の構成、及びベース材１と被覆材２の素材、接着剤層３の材料は、上記第１の実施の形態と同様であるので説明を省略する。
【００４５】
上記本発明の第２の実施の形態におけるＩＣタグ封入体Ａの前記被覆材２には、図５（ｂ）の平面図に示すように、開封用の切離線２ａ（ハーフカッティングライン、ミシンカッティングラインなど）が設けられていて、被覆材２は切離線２ａを介して開封できるようになっている。
【００４６】
切離線２ａのカッティング形状は、本発明においては特に限定されるものではないが、例えば図３（ｂ）に図示するように、ＩＣタグ１０の四方周辺の内面全面に設けた接着剤層３の内側に沿って切離線２ａを四角形状に設けてもよいし、あるいはその四角形状の切離線２ａの中央部に二等分線等の二分割線状のカッティングライン２ｂを設けてもよい。
【００４７】
上記第２の実施の形態におけるＩＣタグ封入体Ａの内部に装填されているＩＣタグ１０を取り出し回収する際は、被覆材２を接着剤層３を破壊してベース材１から剥離し、ＩＣタグ封入体Ａを開封してＩＣタグ１０を取り出すか、あるいは開封用の切離線２ａに沿って被覆材２を切り破り、ＩＣタグ封入体Ａを開封してＩＣタグ１０を取り出すものである。
【００４８】
なお、図３（ａ）に示す上記第２の実施の形態におけるＩＣタグ封入体Ａの前記ベース材１の下面には、第１の実施の形態（図１（ａ）参照）と同様に、必要に応じて感圧接着剤層４が設けられ、該感圧接着剤層４面に剥離材５が仮接着している。あるいは、前記ベース材１の下面には、感熱接着剤層４が設けられている。
【００４９】
上記第２の実施の形態におけるＩＣタグ封入体Ａは、前記感圧接着剤層４又は感熱接着剤層４を介して紙製、プラスチック製、ガラス製、陶器製、磁器製、セラミック製、金属製等の各種物品の被着面に接着固定することにより添付され、例えば、封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙（例えば小型乃至大型プリンター用ロール紙）や枚葉紙の梱包体（梱包紙にて梱包された梱包枚葉紙）など紙類の被着面、又はその他商品類のそれぞれ被着面に接着固定することにより添付される。
【００５０】
次に本発明のＩＣタグ封入体の第３の実施の形態（請求項３に係る発明）を以下に詳細に説明すれば、図４は、第３の実施の形態におけるＩＣタグ封入体Ａの側断面図であり、ベース材１と被覆材２との重ね合わせ内面に、ＩＣタグ１０が非接着状態で装填されている。
【００５１】
該ベース材１と被覆材２とは、互いに対向する重ね合わせ内面全面及びＩＣタグ１０と被覆材２の互いに対向する重ね合わせ内面全面が、接着剤層３を介して接合している。
【００５２】
前記ＩＣタグ１０の構成、また前記ベース材１と被覆材２の素材、接着剤層３の材料は、前述した第１、第２の実施の形態と同様であるので説明は省略する。
【００５３】
上記第３の実施の形態におけるＩＣタグ封入体Ａの前記被覆材２には、図４の側断面図に示すように、その内面全面に接着剤層３が設けられ、ベース材１上のＩＣタグ１０と対向する部分の接着剤層３面には剥離剤層２３が設けられ、これによってベース材１上のＩＣタグ１０が被覆材２側の接着剤層３と接着することを回避している。
【００５４】
また上記第３の実施の形態におけるＩＣタグ封入体Ａの前記被覆材２には図示しないが、上記第１の実施の形態（図２（ａ）、図２（ｂ）参照）及び第２の実施の形態（図３（ｂ）参照）と同様に、開封用の切離線２ａ（ハーフカッティングライン、ミシンカッティングラインなど）が設けられていて、被覆材２は切離線２ａを介して開封できるようになっている。
【００５５】
切離線２ａのカッティング形状は、上記第１の実施の形態（図２（ａ）、図２（ｂ）参照）及び第２の実施の形態（図３（ｂ）参照）と同様に、本発明においては特に限定されるものではない。
【００５６】
上記第３の実施の形態におけるＩＣタグ封入体Ａの内部に装填されているＩＣタグ１０を取り出し回収する際は、図４に示す被覆材２を接着剤層３を破壊してベース材１から剥離し、ＩＣタグ封入体Ａを開封して、ベース材１上のＩＣタグ１０を取り出すか、あるいは開封用の切離線２ａに沿って被覆材２を切り破り、ＩＣタグ封入体Ａを開封して、ベース材１上のＩＣタグ１０を取り出すものである。
【００５７】
上記第３の実施の形態におけるＩＣタグ封入体Ａのベース材１の下面には、図４に示すように、必要に応じて感圧接着剤層４が設けられ、該感圧接着剤層４面には剥離シート５（シリコーン樹脂など剥離性樹脂層を塗布したセパレータ）が仮接着している。あるいはベース材１の下面には感熱接着剤層４が設けられている。
【００５８】
上記ＩＣタグ封入体Ａは、前記感圧接着剤層４又は感熱接着剤層４を介して紙製、プラスチック製、ガラス製、陶器製、磁器製、セラミック製、金属製等の各種物品の被着面に接着固定することにより添付され、例えば、封筒類、葉書類、伝票類、カード類等、文具類等の事務用品の被着面、又はボトル、段ボール、通い箱、その他紙製容器、パウチ容器など容器類等の包装用品の被着面、又はカタログ類、冊子類、書籍類、コンパクトディスク等記録媒体類の被着面、又は衣料品の被着面、又はロール紙（例えば小型乃至大型プリンター用ロール紙）や枚葉紙の梱包体（梱包紙にて梱包された梱包枚葉紙）など紙類の被着面、又はその他商品類のそれぞれ被着面に接着固定することにより添付される。
【００５９】
次に本発明のＩＣタグ封入体の第４の実施の形態（請求項４、請求項５に係る発明）を以下に詳細に説明すれば、図５（ａ）は、第４の実施の形態におけるＩＣタグ封入体Ａの側断面面、５図（ｂ）〜（ｃ）は、その平面図であり、ベース材１と被覆材２との重ね合わせ内面にＩＣタグ１０が接着剤層２１を介してベース材１に対して接着状態で装填されている。
【００６０】
該ベース材１と被覆材２とは、互いに対向する重ね合わせ三方の周辺内面が接着材層３を介して接合し、他の一方の周辺は開口していてポケット状を呈しているが、ＩＣタグ１０は接着剤層２１によってベース材１に接着固定している。
【００６１】
前記ＩＣタグ１０の構成、前記ベース材１と被覆材２の素材、接着剤層３の材料は、前述した第１の実施の形態と同様で説明は省略する。
【００６２】
上記第４の実施の形態におけるＩＣタグ封入体Ａの前記被覆材２には、図５（ａ）の側断面図に示すように、その内面に前記ベース材１上の接着剤層２１と対向して剥離材層２２が設けられ、これによってベース材１と被覆材２との間にＩＣタグ１０を装填する前において、前記被覆材２がベース材１上の接着剤層２１と接着することを回避している。
【００６３】
また前記被覆材２には、図５（ｂ）〜（ｃ）の平面図に示すように、開封用の切離線２ａ（ハーフカッティングライン、ミシンカッティングラインなど）が設けられていて、被覆材２は切離線２ａを介して開封できるようになっている。なお、図中においては、ベース材１が被覆材２よりもサイズが大となっているが、特にサイズは限定されない。
【００６４】
切離線２ａのカッティング形状は、本発明においては特に限定されるものではないが、例えば図５（ｂ）に図示するように、中央部に縦に二等分線の切離線２ａを設けてもよいし、図５（ｃ）に図示するように、三方周辺を接合した接着剤層３の内側に沿って切離線２ａを設けてもよい。
【００６５】
上記第４の実施の形態におけるＩＣタグ封入体Ａの内部に装填されているＩＣタグ１０を取り出し回収する際は、被覆材２を接着剤層３を破壊してベース材１から剥離し、ＩＣタグ封入体Ａを開封して、ベース材１に接着固定しているＩＣタグ１０を剥離して取り出すか、あるいは開封用の切離線２ａに沿って被覆材２を切り破りＩＣタグ封入体Ａを開封して、ベース材１に接着固定しているＩＣタグ１０を剥離して取り出すものである。
【００６６】
上記第４の実施の形態におけるＩＣタグ封入体Ａの前記ベース材１の下面には図５（ａ）に示すように、必要に応じて感圧接着剤層４が設けられ、該感圧接着剤層４面に剥離材５が仮接着している。あるいは、前記べース材１の下面には、感熱接着剤層４が設けられている。
【００６７】
上記ＩＣタグ封入体Ａは、前記感圧接着剤層４又は感熱接着剤層４を介して紙製、プラスチック製、ガラス製、陶器製、磁器製、セラミック製、金属製等の各種物品の被着面に接着固定することにより添付され、例えば、封筒類、葉書類、伝票類、カード類等、文具類等の事務用品の被着面、又はボトル、段ボール、通い箱、その他紙製容器、パウチ容器など容器類等の包装用品（包装紙、紙製容器、プラスチック容器、袋状容器、ガラス容器など）の被着面、又はカタログ類、冊子類、書籍類、コンパクトディスク等記録媒体類の被着面、又は衣料品の被着面、又はロール紙（例えば小型乃至大型プリンター用ロール紙）や枚葉紙の梱包体（梱包紙にて梱包された梱包枚葉紙）など紙類の被着面、又はその他商品類のそれぞれ被着面に接着固定することにより添付される。
【００６８】
上記第４の実施の形態におけるＩＣタグ封入体Ａの他の例としては、図６に示すように、ベース材１と被覆材２との間に装填されるＩＣタグ１０は、被覆材２から外側に露呈した状態で装填されていてもよい。
【００６９】
図７（ａ）〜（ｄ）は、本発明のＩＣタグ封入体Ａを取り付けた被着体Ｂの各種実例を示すものであり、図７（ａ）は郵便用封筒Ｂ、（ｂ）は宅配便用の伝票Ｂの一例、（ｃ）は宅配便用の伝票Ｂの他の例、（ｄ）は航空手荷物用の伝票Ｂであり、ＩＣタグ封入体Ａは、これら被着体Ｂの表面若しくは内面の適宜なる取り付け位置Ｃに取り付けられる。
【００７０】
本発明のＩＣタグ封入体Ａを取り付ける被着体Ｂとしては、特に限定されるものではなく、上記以外に例えば、紙製、プラスチック製、ガラス製、陶器製、磁器製、セラミック製、金属製等の各種物品本体を被着体Ｂとすることが可能であり、例えば、封筒類、葉書類、伝票類、カード類等、文具類等の事務用品本体、又はボトル、段ボール、通い箱、その他紙製容器、パウチ容器など容器類等の包装用品本体（包装紙、紙製容器、プラスチック容器、袋状容器、ガラス容器など）、又はカタログ類、冊子類、書籍類、コンパクトディスク等記録媒体類本体、又は衣料品本体、又はロール紙（例えば小型乃至大型プリンター用ロール紙）や枚葉紙の梱包体（梱包紙にて梱包された梱包枚葉紙）など紙類本体、又はその他商品類本体を被着体Ｂとすることも可能であり、又、それら本体としての構成体を被着体Ｂとすることも可能である。
【００７１】
本発明のＩＣタグ封入体Ａは、これら被着体Ｂの表面若しくは内面に接着剤層４を介して取り付けることができ、また、これらの被着体Ｂを、本発明の上記ＩＣタグ封入体Ａのベース材１として使用することも可能である。
【００７２】
また本発明のＩＣクグ封入体Ａは、上記被着体Ｂ本体内にＩＣタグ１０を一体に封入してもよく、図７（ａ）に示すような郵便用封筒Ｂ、又は（ｂ）に示すような宅配便用の伝票Ｂ、又は（ｃ）に示すような宅配便用の他の伝票Ｂ、又は（ｄ）に示すような航空手荷物用の伝票Ｂ等のシート状の事務用品本体、あるいは包装容器（紙製容器、袋状容器など）など紙シート、プラスチックシート、紙とプラスチックとの複合シートなどシート製の包装用品（図示せず）本体そのものをＩＣタグ封入体Ａとしてもよく、その場合における前記被着体Ｂ本体としてのＩＣタグ封入体Ａに対するＩＣタグ１０の封入位置Ｃも、適宜な位置に設定することができる。なお本発明において、この取り付け位置Ｃ（又は封入位置Ｃ）は特に限定されるものではない。
【００７３】
本発明のＩＣタグ封入体Ａの披着体Ｂに対する上記取り付け位置Ｃ、又はＩＣタグ１０のＩＣタグ封入体Ａに対する上記封入位置Ｃは、ＩＣタグ１０本体をＩＣタグ封入体Ａ内から取り外し易い位置、回収し易い位置であることが望ましいが、前記ＩＣタグ１０を、いつ、どのような段階（機会）で取り外し回収するかＩＣタグ封入体Ａを利用するシステム形態等に対応するなどして適宜に設定することができる。
【００７４】
例えば、ＩＣタグ封入体Ａを発送・受領用の伝票類に利用する場合であれば、発送取扱者側がＩＣタグの回収が可能となるように、物品を送達した際に受け取る受領伝票にＩＣタグ１０の取り付け位置Ｃ（又は封入位置Ｃ）を設定し、また例えば、ＩＣタグ封入体Ａを郵便葉書や封筒類に利用する場合には、郵便差し出し者側がＩＣタグの回収が可能となるように、返信用葉書や返信用封筒側にＩＣタグ１０の取り付け位置Ｃ（又は封入位置Ｃ）を設定することが適当である。
【００７５】
次に、本発明によるＩＣタグ封入体の第５の実施の形態（請求項１３〜請求項１６、請求項２３に係る発明）を図８を参照して説明する。図８（ａ）は、ＩＣタグ封入体Ａの側断面図、図８（ｂ）は、その平面図である。
図８において、タグ基材３１（第１の基材）とタグ基材３２（第２の基材）とが接着剤層３３を介して接合されている。接着剤層３３には空間部３４が設けられ、この空間部３４内にＩＣタグ１０が封入されている。空間部３４の一端は開口３４ａされると共に、ＩＣタグ１０は、空間部３４に低接着剤層により低接着されて封入される。
【００７６】
タグ基材３１、３２には、切り離し用の切離線３１ａ、３２ａ（ハーフカッティングライン、ミシンカッティングラインなど）が設けられている。この切離線３１ａ、３２ａは、図示のようにタグ基材３１、３２の同一位置に設けられていて、タグ基材３１、３２のＩＣタグ１０が封入された部分を切離線３１ａ、３２ａから切り離すことができるようになされている。
【００７７】
なお、タグ基材３１、３２、接着剤層３３の材質は、前述した第１〜第４の実施の形態の図１〜図６におけるベース材１、被覆材２、接着剤層３と同じであってよい。
【００７８】
本実施の形態によるＩＣタグ封入体Ａは、第１〜第４の実施の形態によるＩＣタグ封入体Ａと同様の用途に適用できるのは勿論であるが、特に、物流管理用の商品タグとして用いて好適である。
例えば、本実施の形態によるＩＣタグ封入体Ａとしての商品タグを、商品に取り付けて店に展示しておき、客がその商品を買う時に、レジで店員が商品タグのＩＣタグ１０が封入された部分を切離線３１ａ、３２ａから切り離すことにより、ＩＣタグ１０を回収することができる。その場合、ＩＣタグ１０は空間部３４内に仮接着されて封入されているので、ＩＣタグ１０を空間部３４の開口３４ａから容易に取り出すことができる。
【００７９】
なお、空間部３４の開口３４ａは塞がれていてもよく、その場合は、ＩＣタグ１０を空間部３４に非接着又は低接着で封入しておき、ＩＣタグ１０が封入された部分を切離線３１ａ、３２ａから切り離した後、接着剤層３３を破壊することにより、ＩＣタグ１０を取り出すことができる。
【００８０】
回収されたＩＣタグ１０のデータを読み取ることにより、その商品の流通状況等を知ることができる。また、回収されたＩＣタグ１０を再利用することもできる。また、ＩＣタグ封入体Ａは、タグ基材の樹脂で覆われているので、小型堅牢で耐久性に優れている。
なお、商品として、例えば洋服にＩＣタグ封入体Ａを取り付けることにより、アパレル業界における物流管理等に用いて好適である。
【００８１】
次に、本発明によるＩＣタグ封入体の第６の実施の形態（請求項１８、請求項２０、請求項２１、請求項２３に係る発明）を図９を参照して説明する。図９（ａ）は、ＩＣタグ封入体Ａの側断面図、図９（ｂ）は、その平面図、図９（ｃ）はＩＣタグ１０が封入されたラベル基材部Ｄの側断面図である。
図９（ｃ）のラベル基材部Ｄにおいて、ラベル基材３５（第１の部材）の下面には、接着剤層３６（第１の接着剤層）、剥離紙３７が設けられると共に、上面には、ラベル基材３８（第２の部材）が接着剤層３９（第２の接着剤層）を介して設けられている。接着剤層３９には空間部４０が設けられ、この空間部４０内にＩＣタグ１０が、非接着で封入、又は低接着剤層による低接着により封入されている。上記のラベル基材３５、３８は、図示のようにタグ基材３１より小さい部材である。
【００８２】
なお、ラベル基材３５、３８、接着剤層３６、３９の材質は、図８のタグ基材３１、３２、接着剤層３３と同じであってよい。
【００８３】
上記構成によれば、図９（ｃ）のラベル基材部Ｄの剥離紙３７を剥がした後、ラベル基材３５を接着剤層３６を介して切離線３１ａを有するタグ基材３１の所定個所（図の切離線３１ａより下半部）に貼りつけることにより、ＩＣタグ封入体Ａを構成することができる。このＩＣタグ封入体Ａを商品に取り付けることにより、商品タグとして用いることができる。そして、この商品タグのＩＣタグ１０が封入された部分を切離線３１ａから切り離すことにより、ＩＣタグ１０を回収することができる。また、ＩＣタグ１０は非接着又は低接着されているので、空間部４０から容易に取り出すことができる。
【００８４】
次に、本発明によるＩＣタグ封入体の第７の実施の形態（請求項１９〜請求項２１、請求項２３に係る発明）を図１０を参照して説明する。図１０（ａ）は、ＩＣタグ封入体Ａの側断面図、図１０（ｂ）は、その平面図である。
図１０において、切離線３１ａを有するタグ基材３１の一部の上面には、ラベル基材３８が接着剤層３９を介して設けられている。接着剤層３９には空間部４０が設けられ、この空間部４０内にＩＣタグ１０が非接着で封入、又は低接着で封入されている。
【００８５】
上記構成によれば、ＩＣタグ封入体Ａを商品タグとして用いることができ、また、ＩＣタグ１０が封入された部分を切離線３１ａから切り離すことにより、ＩＣタグ１０を回収することができる。また、ＩＣタグ１０は非接着又は低接着されているので、空間部４０から容易に取り出すことができる。
【００８６】
次に、本発明によるＩＣタグ封入体の第８の実施の形態（請求項１３、請求項１４、請求項１６、請求項１７、請求項２３に係る発明）を図１１を参照して説明する。図１１（ａ）は、ＩＣタグ封入体Ａの側断面図、図１１（ｂ）は、その平面図である。
前述した第５の実施の形態による図８においては、ＩＣタグ１０をその長手方向を図の横方向としているが、本実施の形態は、図１１のようにＩＣタグ１０の長手方向を縦方向としている。
【００８７】
即ち、図１１において、切離線３１ａを有するタグ基材３１と切離線３２ａを有するタグ基材３２とが接着剤層３３を介して接合されており、接着剤層３３には空間部３４が設けられ、この空間部３４内にＩＣタグ１０が封入されている。この空間部３４の下端は開口３４ｂされている。ＩＣタグ１０は、タグ基材３２と接着剤層４１を介して接着されている。また、タグ基材３１上にはＩＣタグ１０に対して剥離層４２が設けられている。
【００８８】
上記構成によれば、タグ基材３１、３２を切離線３１ａ、３２ａから切り離すことにより、ＩＣタグ１０を回収することができる。その場合、図示ではＩＣタグ１０は切離線３１ａ、３２ａを跨いで設けられているが、ＩＣタグ１０は接着剤層４１で接着されているので、切り離しの際に容易にＩＣタグ１０を一緒に分離することができる。切り離した後、接着剤層４１を破壊することによりＩＣタグ１０を、開口３４ｂ又は開口３４ｂの反対側の開口から取り出すことができる。なお、開口３４ｂは塞がれていてもよい。
【００８９】
また、剥離層４２を設けたので、空間部３４にＩＣタグ１０を封入する前の状態において、タグ基材３１がタグ基材３２上の接着剤層４１と接着することを回避することができる。
【００９０】
次に、本発明によるＩＣタグ封入体の第９の実施の形態（請求項１３、請求項１５、請求項２３に係る発明）を図１２を参照して説明する。図１２（ａ）は、ＩＣタグ封入体Ａの側断面図、図１２（ｂ）は、その平面図である。
本実施の形態は、第５の実施の形態による図８におけるタグ基材３１、３２の切離線３１ａ、３２ａを無くすと共に、開口３４ａを塞いだものである。
【００９１】
即ち、図１２において、タグ基材３１とタグ基材３２とが接着剤層３３を介して接合されると共に、接着剤層３３には空間部３４が設けられ、この空間部３４内にＩＣタグ１０が非接着又は低接着で封入されている。
【００９２】
上記構成によれば、ＩＣタグ封入体Ａを商品タグとして商品に取り付けた場合は、流通の一過程でＩＣタグ封入体Ａ全体を商品から取り外して回収することにより、商品タグを何回も用いることができる。
【００９３】
次に、本発明のＩＣタグ封入体の第１０の実施の形態（請求項２２、請求項２３に係る発明）を図１３を参照して説明する。図１３は、ＩＣタグ封入体Ａの側面図である。
本実施の形態は、ＩＣタグ封入体Ａ全体を合成樹脂により一体成形して合成樹脂成形品４３としたもので、この合成樹脂成形品４３の中にＩＣタグ１０が埋め込まれている。
従って、このＩＣタグ封入体Ａを商品タグとして商品に取り付けておき、流通過程でＩＣタグ封入体Ａ全体を商品から取り外して回収することにより、商品タグを何回も用いることができる。
【００９４】
【発明の効果】
本発明のＩＣタグ封入体は、データ送受信可能なＩＣタグ（アンテナ付きＩＣチップ）を基材で挾み込み加工したＩＣタグ封入体であって、ＩＣタグは物流管理システムや生産管理システムなど種々システムの稼動において、搬送、発送、輸送、預かり、受渡し、郵送等における物流管理、製造、加工等における生産管理等の諸管理に必要とする固有データや管理データなど諸データを、無線送信（非接触）方式にて送受信及び読み書き可能であり、紙製、プラスチック製、ガラス製、陶器製、磁器製、セラミック製、金属製等の各種製品や商品等の物品に取り付け添付して使用したり、それら物品被着面に接着固定して使用したり、あるいはそれら物品本体にＩＣタグを一体に封入することにより当該物品をＩＣタグ封入体として使用することができ、使用した後は、そのＩＣタグ封入体から中身のＩＣタグを容易に取り外して回収でき、アンテナや半導体を含む精密回路が形成されている価格的に高価なＩＣタグ本体を容易に再利用することができる効果がある。
【００９５】
さらに、本発明によるＩＣタグ封入体を商品タグとして、商品に取り付けて流通させることにより、物流管理等に有効に利用することができる。また、ＩＣタグ封入体を商品タグとして用いる場合、小型堅牢であるので、商品の流通過程においても損傷することがなく、何回も使用することができる。
【図面の簡単な説明】
【図１】  （ａ）は本発明のＩＣタグ封人体の第１の実施の形態における側断面図、（ｂ）はその平面図。
【図２】  （ａ）〜（ｂ）は本発明のＩＣタグ封入体の第１の実施の形態における他の例を示す平面図、側断面図。
【図３】  （ａ）は本発明のＩＣタグ封入体の第２の実施の形態における側断面図、（ｂ）はその平面図。
【図４】  本発明のＩＣタグ封入体の第３の実施の形態における側断面図。
【図５】  （ａ）は本発明のＩＣタグ封入体の第４の実施の形態における側断面図、（ｂ）〜（ｃ）はその平面図。
【図６】  本発明のＩＣタグ封入体の第４の実施の形態における他の例を示す平面図。
【図７】  （ａ）〜（ｄ）は本発明のＩＣタグ封入体を取り付ける被着体の各種実例を示す平面図。
【図８】  （ａ）は本発明のＩＣタグ封人体の第５の実施の形態における側断面図、（ｂ）はその平面図。
【図９】  （ａ）は本発明のＩＣタグ封人体の第６の実施の形態における側断面図、（ｂ）はその平面図、（ｃ）はラベル基材部の側断面図。
【図１０】  （ａ）は本発明のＩＣタグ封入体の第７の実施の形態における側断面図、（ｂ）はその平面図。
【図１１】  本発明のＩＣタグ封入体の第８の実施の形態における側断面図、（ｂ）はその平面図。
【図１２】  本発明のＩＣタグ封入体の第９の実施の形態における側断面図、（ｂ）はその平面図。
【図１３】  本発明のＩＣタグ封入体の第１０の実施の形態における側面図。
【符号の説明】
１…ベース材  ２…被覆材  ３…封入用接着剤層
４…取り付け用接着剤層（感圧接着剤層または感熱接着剤層）  ５…剥離材
１０…ＩＣタグ  １１…ＩＣチップ  １２…アンテナ
２１…固定用接着剤層  ２２、２３…剥離剤層
３１、３２…タグ基材  ３１ａ、３２ａ…切離線
３３、３６、３９、４１…接着剤層  ３４、４０…空間部
３４ａ、３４ｂ…開口  ４２…剥離層
４３…合成樹脂成形品  Ａ…ＩＣタグ封入体
【図１】
0004490599.tif 000002
【図２】
0004490599.tif 000003
【図３】
0004490599.tif 000004
【図４】
0004490599.tif 000005
【図５】
0004490599.tif 000006
【図６】
0004490599.tif 000007
【図７】
0004490599.tif 000008
【図８】
0004490599.tif 000009
【図９】
0004490599.tif 000010
【図１０】
0004490599.tif 000011
【図１１】
0004490599.tif 000012
【図１２】
0004490599.tif 000013
【図１３】
0004490599.tif 000014